(57)【要約】【課題】一つのアンテナだけで、垂直偏波及び水平偏波のいずれも十分な強度で送受信することのできる情報通信装置を提供する。【解決手段】筐体と、放射板の少なくとも一部の面が当該筐体の底面に対して斜交するように筐体内に配置され、当該底面に斜交する面上に給電点が位置するアンテナと、を含む情報通信装置である。【選択図】図４
2010259048.tif 000002
【特許請求の範囲】
【請求項１】
無線通信を行う情報通信装置であって、
筐体と、
放射板の少なくとも一部の面が、前記筐体の底面に対して斜交するように前記筐体内に配置され、当該底面に斜交する面上に給電点が位置するアンテナと、
を含むことを特徴とする情報通信装置。
【請求項２】
請求項１記載の情報通信装置であって、
前記放射板は、前記筐体の底面に斜交する面内において、前記給電点から前記筐体の底面に対して平行な方向に延伸する部分を含む
ことを特徴とする情報通信装置。
【請求項３】
請求項２記載の情報通信装置であって、
前記アンテナは同軸ケーブルによって給電され、
前記放射板の前記平行な方向に延伸する部分は、前記同軸ケーブルの内部導体と接続され、
前記放射板は、前記筐体の底面に斜交する面内において、前記同軸ケーブルの外部導体と接続され、前記筐体の底面に対して垂直な方向に延伸する部分をさらに含む
ことを特徴とする情報通信装置。
【請求項４】
請求項１から３のいずれか記載の情報通信装置であって、
前記筐体は、前記底面だけでなく、前記底面と交差する一つの側面を床面に相対する下向きの面としても設置されうるよう構成され、
前記アンテナは、前記筐体の底面に斜交する面が前記一つの側面に対しても斜交するように、前記筐体内に配置される
ことを特徴とする情報通信装置。
【請求項５】
請求項１から４のいずれか一項記載の情報通信装置であって、
前記放射板は、前記筐体の底面に斜交する面を構成する部分と連結されて、前記底面に対して平行な面を構成する部分を含む
ことを特徴とする情報通信装置。
【請求項６】
放射板の少なくとも一部が、水平面に対して斜交するように設置される面と、当該斜交する面に対して鈍角をなすように当該斜交する面に連接される面と、を含み、
前記斜交する面上に給電点が位置することを特徴とするアンテナ。
【請求項７】
請求項６記載のアンテナであって、
前記放射板は、前記斜交する面内において、前記給電点から水平面に対して平行な方向に延伸する部分を含む
ことを特徴とするアンテナ。
【請求項８】
請求項７記載のアンテナであって、
同軸ケーブルによって給電され、
前記放射板の前記平行な方向に延伸する部分は、前記同軸ケーブルの内部導体と接続され、
前記放射板は、前記斜交する面内において、前記同軸ケーブルの外部導体と接続され、水平面に対して垂直な方向に延伸する部分をさらに含む
ことを特徴とするアンテナ。
【発明の詳細な説明】
【技術分野】
【０００１】
本発明は、情報を無線信号によって送受信する情報通信装置及びアンテナに関する。
【背景技術】
【０００２】
Ｂｌｕｅｔｏｏｔｈ（登録商標）規格やＩＥＥＥ８０２．１１規格などの規格に基づいて無線通信を行う情報通信装置がある。このような情報通信装置は、様々な方向の偏波を一定以上の強度で送受信することが求められる場合がある。例えば情報通信装置が家庭用ゲーム機である場合、アンテナが水平方向に配置されたゲーム機のコントローラや、垂直方向に配置されたヘッドセットなど、送受信可能な主偏波の向きが異なる各種の周辺機器との間で無線通信を行う必要がある。そこで、このような情報通信装置の一種として、偏波ダイバーシティ方式によって無線信号を送受信する情報通信装置が提案されている（例えば特許文献１参照）。偏波ダイバーシティ方式の情報通信装置は、垂直偏波及び水平偏波のそれぞれに対応する２つのアンテナを備えており、これによって、垂直偏波及び水平偏波のいずれも十分な強度で送受信することを可能にしている。
【先行技術文献】
【特許文献】
【０００３】
【特許文献１】米国特許出願公開第２００９／００２１４３０号明細書
【発明の概要】
【発明が解決しようとする課題】
【０００４】
本発明の目的の一つは、一つのアンテナだけで、垂直偏波及び水平偏波のいずれも十分な強度で送受信することのできる情報通信装置及びアンテナを提供することにある。
【課題を解決するための手段】
【０００５】
本発明に係る情報通信装置は、無線通信を行う情報通信装置であって、筐体と、放射板の少なくとも一部の面が、前記筐体の底面に対して斜交するように前記筐体内に配置され、当該底面に斜交する面上に給電点が位置するアンテナと、を含むことを特徴とする。
【０００６】
上記情報通信装置において、前記放射板は、前記筐体の底面に斜交する面内において、前記給電点から前記筐体の底面に対して平行な方向に延伸する部分を含むこととしてもよい。
【０００７】
さらに、前記アンテナは同軸ケーブルによって給電され、前記放射板の前記平行な方向に延伸する部分は、前記同軸ケーブルの内部導体と接続され、前記放射板は、前記筐体の底面に斜交する面内において、前記同軸ケーブルの外部導体と接続され、前記筐体の底面に対して垂直な方向に延伸する部分をさらに含むこととしてもよい。
【０００８】
また、上記情報通信装置において、前記筐体は、前記底面だけでなく、前記底面と交差する一つの側面を床面に相対する下向きの面としても設置されうるよう構成され、前記アンテナは、前記筐体の底面に斜交する面が前記一つの側面に対しても斜交するように、前記筐体内に配置されることとしてもよい。
【０００９】
また、上記情報通信装置において、前記放射板は、前記筐体の底面に斜交する面を構成する部分と連結されて、前記底面に対して平行な面を構成する部分を含むこととしてもよい。
【００１０】
また、本発明に係るアンテナは、放射板の少なくとも一部が、水平面に対して斜交するように設置される面と、当該斜交する面に対して鈍角をなすように当該斜交する面に連接される面と、を含み、前記斜交する面上に給電点が位置することを特徴とする。
【００１１】
さらに、上記アンテナにおいて、前記放射板は、前記斜交する面内において、前記給電点から水平面に対して平行な方向に延伸する部分を含むこととしてもよい。
【００１２】
さらに、上記アンテナは、同軸ケーブルによって給電され、前記放射板の前記平行な方向に延伸する部分は、前記同軸ケーブルの内部導体と接続され、前記放射板は、前記斜交する面内において、前記同軸ケーブルの外部導体と接続され、水平面に対して垂直な方向に延伸する部分をさらに含むこととしてもよい。
【図面の簡単な説明】
【００１３】
【図１Ａ】本発明の実施の形態に係る情報通信装置の外観を示す説明図である。
【図１Ｂ】本発明の実施の形態に係る情報通信装置の外観を示す説明図である。
【図１Ｃ】本発明の実施の形態に係る情報通信装置の外観を示す説明図である。
【図２】本発明の実施の形態に係る情報通信装置の筐体内部の様子を示す平面図である。
【図３】本発明の実施の形態に係る情報通信装置に実装される回路の概略構成を示す構成ブロック図である。
【図４】本発明の実施の形態に係る情報通信装置のアンテナの概要を示す斜視図である。
【図５】本発明の実施の形態に係る情報通信装置のアンテナの概要を示す正面図である。
【図６】本発明の実施の形態に係る情報通信装置のアンテナの概要を示す右側面図である。
【図７】本発明の実施の形態に係る情報通信装置のアンテナの概要を示す平面図である。
【図８】アンテナの筐体に対する取り付け構造を示す説明図である。
【図９】本発明の実施の形態に係る情報通信装置の放射パターンの例を示す説明図である。
【図１０】一般的なダイポールアンテナを用いた情報通信装置の放射パターンの例を示す説明図である。
【発明を実施するための形態】
【００１４】
以下、本発明の実施の形態について、図面を参照しながら説明する。
【００１５】
本発明の一実施形態に係る情報通信装置１は、例えば家庭用ゲーム機やパーソナルコンピュータなどであって、図１Ａ、図１Ｂ及び図１Ｃに示すように、薄型箱状の筐体１０を有しており、周辺機器などの外部デバイスとの間で無線通信により情報の送受信を行う。なお、本実施形態では、情報通信装置１は、Ｂｌｕｅｔｏｏｔｈ規格による無線通信、及びＩＥＥＥ８０２．１１規格による無線通信のそれぞれに対応しているものとする。
【００１６】
筐体１０は、主として６つの外面から構成されている。以下では、これらの外面のうち、最も面積の広い２つの面の一方を第１底面１０ａといい、第１底面１０ａに対向する他方の面を第１上面１０ｂという。他の４つの外面は、第１底面１０ａ及び第１上面１０ｂの双方と交差する側面になっており、以下ではそのうちの１つの面を第２底面１０ｃという。また、この第２底面１０ｃに対向する面を第２上面１０ｄといい、残る２つの外面の一方を前面１０ｅ、他方を背面１０ｆという。さらに、以下では、図１Ａ、図１Ｂ及び図１Ｃに示されるように、第１底面１０ａに平行で背面１０ｆから前面１０ｅに向かう方向をＸ軸正方向、第１底面１０ａに平行で第２底面１０ｃから第２上面１０ｄに向かう方向をＹ軸正方向、及び第２底面１０ｃに平行（第１底面１０ａに垂直）で第１底面１０ａから第１上面１０ｂに向かう方向をＺ軸正方向とする。すなわち、第１底面１０ａはＸＹ平面に平行な面であって、第２底面１０ｃ及び第２上面１０ｄはＺＸ平面に平行な面になっている。
【００１７】
この情報通信装置１の筐体１０は、第１底面１０ａ及び第２底面１０ｃのいずれもが底面（床面に相対する面）として設置されうるよう構成されている。すなわち、筐体１０は、図１Ａに示されるように第１底面１０ａを下向きにして設置（横置き）されてもよいし、図１Ｂに示されるように第２底面１０ｃを下向きにして設置（縦置き）されても使用可能になっている。なお、第１底面１０ａと比較して面積の小さい第２底面１０ｃを下向きにして設置する場合には、筐体１０は、床面に直接設置されるのではなく、支持台（スタンド）に支えられて設置されることとしてもよい。さらに、筐体１０は、第２底面１０ｃではなく、これと対向する第２上面１０ｄが底面となるように設置されることとしてもよい。この場合、図１Ｃに示されるように、第２底面１０ｃが上向きになり、図１Ｂの場合とは天地逆に設置されることになる。
【００１８】
また、情報通信装置１は、通常、前面１０ｅが情報通信装置１のユーザがいる方向に向けられるように設置される。このため、前面１０ｅには、ユーザに機器の動作状態を示すためのインジケータや、比較的ユーザが頻繁に使用するスイッチ等が設けられてもよい。また、背面１０ｆには、電源ケーブル等の各種ケーブルを接続するためのコネクタが設けられてもよい。このように、ユーザに各種情報を提示する提示部や、ユーザの操作を受け付ける操作部、コネクタ類を、第１底面１０ａ、第２底面１０ｃ及び第２上面１０ｄ以外の外面に設けることによって、第１底面１０ａ、第２底面１０ｃ及び第２上面１０ｄのいずれを下向きにして筐体１０を設置しても、情報通信装置１を使用することが可能になる。
【００１９】
図２は、筐体１０内部の様子を示す平面図である。同図に示されるように、筐体１０内には、第１アンテナ１１、第２アンテナ１２、冷却ファン１３、光ディスクドライブ１４、及び電源ユニット１５が配置されている。ここで、第１アンテナ１１は、Ｂｌｕｅｔｏｏｔｈ規格の無線通信に用いられるアンテナであって、第２アンテナ１２は、ＩＥＥＥ８０２．１１規格の無線通信に用いられるアンテナである。この図に示されるように、第１アンテナ１１及び第２アンテナ１２は、筐体１０の前面１０ｅ近傍（すなわち、冷却ファン１３や電源ユニット１５等の構造物よりも前面１０ｅに近い側）に配置されている。これにより、第１アンテナ１１及び第２アンテナ１２から前面１０ｅ側に放射される無線信号は、冷却ファン１３等に阻害されずにユーザがいると想定される方向に伝搬する。また、背面１０ｆ側に放射される無線信号の少なくとも一部は、冷却ファン１３等によって反射されて、やはり前面１０ｅ側に伝搬する。
【００２０】
図３は、本実施形態に係る情報通信装置１に実装される回路の概略構成を示す構成ブロック図である。同図に示されるように、第１アンテナ１１は、給電線２１ａを介して通信制御回路２２ａと接続されている。同様に、第２アンテナ１２は、給電線２１ｂを介して通信制御回路２２ｂと接続されている。また、通信制御回路２２ａ及び２２ｂは、いずれも中央制御回路２３に接続され、中央制御回路２３はさらに記憶素子２４及び入出力回路２５と接続されている。
【００２１】
通信制御回路２２ａ及び２２ｂは、それぞれ対応する無線通信の規格に従って信号処理を行うことにより、無線通信の制御を行う。具体的に、通信制御回路２２ａ及び２２ｂは、それぞれ対応する第１アンテナ１１又は第２アンテナ１２に対して給電線２１ａ又は２１ｂを介して給電する。そして、中央制御回路２３から送信の対象となる情報の入力を受けると、この情報を変調し、変調信号を得る。通信制御回路２２ａ及び２２ｂは、この変調信号を対応するアンテナに供給して、無線にて放射させる。また、対応するアンテナに到来した信号を受信して、受信した信号を復調し、中央制御回路２３に出力する。
【００２２】
中央制御回路２３は、ＣＰＵなどのプログラム制御デバイスである。この中央制御回路２３は、記憶素子２４に格納されたプログラムに従って動作する。この中央制御回路２３は、記憶素子２４に格納されているプログラムによって、無線通信によって接続される外部デバイスに対して情報を送信するべき旨の指示を受けると、通信制御回路２２ａ又は２２ｂに対して、当該送信するべき情報を出力する。また、この中央制御回路２３は、通信制御回路２２ａ及び２２ｂにて受信された情報の入力を受けて、当該情報を利用した処理を行う。
【００２３】
記憶素子２４は、ＲＡＭ（Random Access Memory）や、ＲＯＭ（Read Only Memory）等を含む。この記憶素子２４は、図示しない記録媒体などから複写されたプログラムを格納している。また、記憶素子２４は、中央制御回路２３の処理に用いる情報を保持するワークメモリとしても動作する。
【００２４】
入出力回路２５は、中央制御回路２３と、外部の入出力デバイスとしてのディスプレイ（家庭用テレビジョンなどを含む）などとに接続されている。この入出力回路２５は、中央制御回路２３から入力される指示に従って、ディスプレイなどに映像信号を出力する。
【００２５】
本実施の形態に係る情報通信装置１では、例えば中央制御回路２３がゲームプログラムなどのプログラムを実行する。そして外部デバイスとしてのゲームコントローラから、利用者の操作内容を示す情報をＢｌｕｅｔｏｏｔｈ規格に基づく無線通信によって受信する。また、音声信号をＢｌｕｅｔｏｏｔｈ規格に基づく無線通信によりヘッドセットやヘッドフォンなどの音声再生デバイスに対して送信する。さらに、情報通信装置１は、他の情報通信装置との間で、ＩＥＥＥ８０２．１１規格に基づく無線通信により情報の授受を行う。
【００２６】
ゲームコントローラは、利用者が両手で持った状態で操作がしやすいように、横長の形状をしているのが一般的である。従ってゲームコントローラに内蔵されるアンテナは、地面に水平な方向に配置されており、送受信する無線信号は水平偏波となる。一方、ヘッドセットなどの場合は、地面に垂直な方向にアンテナが配置されており、送受信する無線信号は垂直偏波となる。本実施形態では、このような様々な向きの偏波の無線信号を十分な強度で送受信できるように、第１アンテナ１１及び第２アンテナ１２それぞれの形状及び筐体１０内の配置が決定されている。なお、Ｂｌｕｅｔｏｏｔｈ規格とＩＥＥＥ８０２．１１規格では、周波数帯として同じ２．４ＧＨｚ帯を使用する。そのため、第１アンテナ１１及び第２アンテナ１２は、互いに略同じ形状をしている。そこで、以下では第１アンテナ１１を例として、その形状について、詳細に説明する。
【００２７】
図４は、第１アンテナ１１の外観を示す斜視図である。また、図５は第１アンテナ１１を正面から見た様子を示す正面図であり、図６は右側面から見た様子を示す側面図であり、図７は上方から見た様子を示す平面図である。なお、ここでは図２に示すように筐体１０内に第１アンテナ１１を配置した状態において、筐体１０の第２底面１０ｃ側（Ｙ軸負方向側）を第１アンテナ１１の正面としている。
【００２８】
第１アンテナ１１は、板状の金属を加工して形成された放射板によって構成されており、図６に示されるように、側面から見て、横長の長方形の一方の短辺側を斜めに切断してなる台形の、底辺を除く外周に沿った形状をしている。すなわち、第１アンテナ１１は、その正面側において台形の底辺に対して傾いた斜面部Ｓ１、背面側において台形の底辺に対して垂直に立ち上がっている背面部Ｓ２、及び台形の上辺に沿って斜面部Ｓ１と背面部Ｓ２とを接続する上面部Ｓ３、を含んで構成される。また、台形の底辺から第１アンテナ１１の正面側及び背面側それぞれに延びる方向に、斜面部Ｓ１に接続される底面部Ｓ４、及び背面部Ｓ２に接続される底面部Ｓ５が形成されている。ここで、第１アンテナ１１は図２に示すように筐体１０内に配置されるので、上面部Ｓ３、底面部Ｓ４及びＳ５は、筐体１０の第１底面１０ａと平行になり、背面部Ｓ２は筐体１０の第２底面１０ｃ及び第２上面１０ｄと平行になる。一方、斜面部Ｓ１は、筐体１０を設置したときに床面（水平面）に相対する面となりうる第１底面１０ａ、第２底面１０ｃ及び第２上面１０ｄのいずれに対しても、斜交している。すなわち、筐体１０の第１底面１０ａに平行に配置される上面部Ｓ３の一方側（Ｙ軸負方向側）の端縁に、下側（Ｚ軸負方向側）に鈍角を形成するように斜面部Ｓ１の端縁が連接されている。さらに、斜面部Ｓ１の上面部Ｓ３に連接される側と反対側の端縁には、上側（Ｚ軸正方向側）に鈍角を形成するように底面部Ｓ４が連接されている。また、上面部Ｓ３の斜面部Ｓ１に連接される側と反対側（Ｙ軸正方向側）の端縁には、上面部Ｓ３と直交するように下側に向かって背面部Ｓ２が連接され、背面部Ｓ２の下端には、背面部Ｓ２と直交するようにＹ軸正方向側に向かって底面部Ｓ５が連接されている。斜面部Ｓ１は、他の背面部Ｓ２、上面部Ｓ３、底面部Ｓ４及びＳ５のいずれに対しても斜交しており、さらに筐体１０が縦置きされる場合も横置きされる場合も、水平面に対して斜交するように筐体１０内に配置されている。
【００２９】
本実施形態では、給電線２１ａは同軸ケーブルであって、この給電線２１ａが接続される給電点は、第１アンテナ１１の斜面部Ｓ１内に位置している。具体的に、斜面部Ｓ１内には導電部Ｐ１及びグランド部Ｐ２が形成されており、導電部Ｐ１の接続点Ｆ１には給電線２１ａの内部導体が、グランド部Ｐ２の接続点Ｆ２には給電線２１ａの外部導体が、それぞれ接続される。導電部Ｐ１は、接続点Ｆ１からＸ軸方向（すなわち、筐体１０の第１底面１０ａ、第２底面１０ｃ及び第２上面１０ｄに対して平行な方向）に沿って延伸しており、さらに正面向かって左側において上方に屈曲して形成されている。この導電部Ｐ１の長さ及び形状によって、第１アンテナ１１が送受信の対象とする無線信号の周波数が２．４ＧＨｚ帯となるよう決定されている。また、グランド部Ｐ２は、全体として接続点Ｆ２を含んでＺ軸方向（すなわち、筐体１０の第１底面１０ａに対して垂直な方向）に沿って延伸しており、その上方では接続点Ｆ２の位置する高さと比較して左右方向の幅が広くなるよう形成されている。より具体的に、グランド部Ｐ２は、接続点Ｆ２より上方の位置において、導電部Ｐ１側（すなわちＸ軸正方向側）に張り出しており、これにより接続点Ｆ２の位置より幅広に形成されている。さらに、この張り出し部の下端は、導電部Ｐ１の上端と一定距離だけ離れて平行に延伸するよう形成されている。
【００３０】
本実施形態では、給電点に対応する位置において、第１アンテナ１１内を流れる電流分布が最も大きくなる。そのため、上述したように給電点を含む斜面部Ｓ１が筐体１０の第１底面１０ａ、第２底面１０ｃ及び第２上面１０ｄのいずれに対しても斜交していることにより、第１アンテナ１１の放射特性は、第１底面１０ａ、第２底面１０ｃ及び第２上面１０ｄのいずれを下向きにして筐体１０を配置した場合であっても、垂直偏波及び水平偏波両方の偏波を放射するようなものになる。
【００３１】
また、上面部Ｓ３には、略矩形の形状をした矩形部Ｐ３が形成されている。この矩形部Ｐ３は、連結部Ｌ１を介してグランド部Ｐ２と連結されている。連結部Ｌ１は、矩形部Ｐ３と同様に上面部Ｓ３の一部を構成しており、グランド部Ｐ２の上端から筐体１０の前面１０ｅ側に向かって斜め方向に延びている（すなわち、グランド部Ｐ２の上端からＸ軸正方向とＹ軸正方向の間の方向に向かって延びている）。そして、その先端部が矩形部Ｐ３の角部に接続されている。矩形部Ｐ３の一辺は、上面部Ｓ３のＸ軸正方向側（すなわち筐体１０の前面１０ｅ側）の端縁を形成しており、このＸ軸正方向側の辺と対向する辺は、平面的に見て、グランド部Ｐ２のＸ軸正方向側の端縁のほぼ延長線上に位置している。この矩形部Ｐ３は、第１アンテナ１１から放射される無線信号における、筐体１０を横置きした際の垂直偏波を強める働きをしている。
【００３２】
さらに、上面部Ｓ３には、矩形部Ｐ３と空間を隔てて対向するように、連結部Ｌ２の一部も形成されている。連結部Ｌ２は、上面部Ｓ３の一部及び背面部Ｓ２によって構成されており、この連結部Ｌ２を介して、底面部Ｓ５がグランド部Ｐ２の上端に接続されている。底面部Ｓ５は、連結部Ｌ２との接続部分からＸ軸正方向側（すなわち筐体１０の前面１０ｅ側）に向かって延在しており、そのＸ軸正方向側の端縁は、平面的に見て、底面部Ｓ４、斜面部Ｓ１及び上面部Ｓ３のＸ軸正方向側の端縁とほぼ同じ位置になっている。すなわち、底面部Ｓ４、斜面部Ｓ１、上面部Ｓ３、及び底面部Ｓ５の、正面から見て向かって左側の端縁が、平面的に見てほぼ一直線上に位置している。この底面部Ｓ５は、第１アンテナ１１から放射される無線信号における、筐体１０を横置きした際の水平偏波を強める働きをしている。
【００３３】
図８は、第１アンテナ１１の筐体１０に対する取り付け構造を示している。同図に示されるように、筐体１０内には支持体３０が設置されており、第１アンテナ１１はこの支持体３０に固定される。具体的に、第１アンテナ１１の連結部Ｌ２のうち、上面部Ｓ３に含まれる部分には孔Ｈ１及びＨ２が、同じく上面部Ｓ３内の矩形部Ｐ３には孔Ｈ３が、いずれも上面部Ｓ３を貫通するように形成されている。一方、支持体３０の孔Ｈ１に対応する位置にはねじ穴が、また孔Ｈ２及びＨ３に対応する位置には位置決め用の突起部３０ａ及び３０ｂが、それぞれ形成されている。この突起部３０ａ及び３０ｂがそれぞれ孔Ｈ２及びＨ３に挿入された状態で、ねじ３０ｃを、孔Ｈ１を挿通させて支持体３０のねじ穴に締結することによって、第１アンテナ１１が筐体１０に対して固定される。ここで、例えば底面部Ｓ４及びＳ５を筐体１０に固定することとすると、取り付け位置の誤差等によって第１アンテナ１１の形状が歪められ、斜面部Ｓ１の筐体１０に対する傾きが変化してしまうおそれがある。本実施形態では、上面部Ｓ３だけを介して第１アンテナ１１を筐体１０に固定するので、このような第１アンテナ１１の歪みを避けることができる。なお、第２アンテナ１２も同様の構造で筐体１０に固定されることとしてよい。
【００３４】
本実施形態に係る情報通信装置１によれば、筐体１０が縦置きされているか横置きされているかに関わらず、また通信相手が垂直偏波及び水平偏波のいずれを主偏波とするかを問わず、実用上十分な強度で無線信号を送受信することができる。
【００３５】
図９は、本実施形態に係る情報通信装置１において、第１アンテナ１１及び第２アンテナ１２それぞれの放射パターンの測定結果を示している。具体的に、この図９では、筐体１０の３種類の姿勢のそれぞれについて、情報通信装置１周囲の各方向で測定された２．４４ＧＨｚの信号の利得が示されている。すなわち、図の上段は、第１底面１０ａを下向きに筐体１０を設置（横置き）した場合の、ＸＹ平面内における各方向の利得を示している。なお、ここでは角度０度がＸ軸正方向（前面１０ｅ側）に、角度２７０度がＹ軸正方向（第２上面１０ｄ側）に、それぞれ対応している。また、図の中段は、背面１０ｆを下向きにした場合の、ＹＺ平面内における各方向の利得を示している。さらに、図の下段は、第２上面１０ｄを下向きに筐体１０を設置（縦置き）した場合の、ＺＸ平面内における各方向の利得を示している。また、各グラフにおいて、実線は各姿勢における垂直偏波の強度を、破線は水平偏波の強度を、それぞれ示している。
【００３６】
一方、図１０は、比較の一例として、一般的なダイポールアンテナを筐体１０内に配置した場合における放射パターンの測定結果を示している。図１０においても、図９と同様に、ＸＹ平面、ＹＺ平面及びＺＸ平面のそれぞれについて、垂直偏波及び水平偏波それぞれの利得が示されている。図１０に示されるように、一般的なダイポールアンテナの場合には、ＸＹ平面のグラフ（横置きに対応）において、水平偏波と比較して、垂直偏波については相対的に小さな利得しか得られていない。そして、ＺＸ平面のグラフ（縦置きに対応）では、逆に水平偏波の利得が垂直偏波と比較して小さくなってしまっている。
【００３７】
これに対して、本実施形態における第１アンテナ１１及び第２アンテナ１２の場合には、ＸＹ平面及びＺＸ平面のいずれにおいても、垂直偏波及び水平偏波の双方について比較的大きな利得が得られている。なお、特にＢｌｕｅｔｏｏｔｈ規格の無線通信においては、情報通信装置１の通信相手はユーザの近くにある周辺機器（ゲームコントローラやヘッドセットなど）であることが想定されるので、縦置き及び横置きのいずれの場合であっても、情報通信装置１の前面１０ｅ側（すなわち、角度０度から９０度、及び２７０度から３６０度の範囲）において、背面１０ｆ側（角度９０度から２７０度の範囲）よりも相対的に利得が大きくなることが望ましい。第１アンテナ１１は、このような条件を満たす向きで筐体１０内に配置されている。
【００３８】
なお、第１アンテナ１１及び第２アンテナ１２は、互いに干渉しないように、一定以上距離を離して筐体１０内に設置する必要がある。このとき、第１底面１０ａに斜交する斜面部Ｓ１内に給電点を設けることによって、本実施形態に係る情報通信装置１においては、第１アンテナ１１と第２アンテナ１２との間の干渉が生じにくくなっている。具体的に、例えば図２に示した位置と同じ位置に、第１アンテナ１１及び第２アンテナ１２をいずれも斜面部Ｓ１が第１底面１０ａと平行になるように配置して、両者の孤立度合いを示すアイソレーション特性を測定し、本実施形態における配置と比較する。すると、斜面部Ｓ１が第１底面１０ａに対して斜交する本実施形態の配置の方が、斜面部Ｓ１が第１底面１０ａに平行な場合よりもアイソレーション特性が向上していることが観測される。したがって、給電点を含む斜面部Ｓ１を第１底面１０ａに対して傾けることで、そうでない場合と比較して、第１アンテナ１１と第２アンテナ１２を相対的に近い位置に配置して使用することが可能となる。なお、ここでは給電点を含む斜面部Ｓ１が同じ向き（第２底面１０ｃ側）になるように第１アンテナ１１及び第２アンテナ１２を並べて配置することとしたが、第１アンテナ１１を、その斜面部Ｓ１が第２上面１０ｄ側になるような向きで配置することとしてもよい。この場合、双方の斜面部Ｓ１が互いに逆向きとなり、第１アンテナ１１と第２アンテナ１２とが干渉しにくくなる。
【符号の説明】
【００３９】
１  情報通信装置、１０  筐体、１１  第１アンテナ、１２  第２アンテナ、１３  冷却ファン、１４  光ディスクドライブ、１５  電源ユニット、２１ａ及び２１ｂ  給電線、２２ａ及び２２ｂ  通信制御回路、２３  中央制御回路、２４  記憶素子、２５  入出力回路、３０  支持体。
【図１Ａ】
2010259048.tif 000003
【図１Ｂ】
2010259048.tif 000004
【図１Ｃ】
2010259048.tif 000005
【図２】
2010259048.tif 000006
【図３】
2010259048.tif 000007
【図４】
2010259048.tif 000008
【図５】
2010259048.tif 000009
【図６】
2010259048.tif 000010
【図７】
2010259048.tif 000011
【図８】
2010259048.tif 000012
【図９】
2010259048.tif 000013
【図１０】
2010259048.tif 000014